(57)【特許請求の範囲】
【請求項１】
地中に埋設される複数の雨水桝を繋ぐ貯溜管路の内部に、雨水を貯溜する雨水貯溜管路構造であって、
貯溜管路の一端の近傍であって、貯溜管路の管頂よりも高い位置に、雨水を外部に排出するための排出口を設け、貯溜管路に流入した雨水は、水位が該排出口に達するまで貯溜管路の内部に貯溜されるようになっており、
上記排出口が設けられた貯溜管路の一端の雨水桝よりも他端側に埋設される雨水桝であって、該一端の雨水桝と他端の雨水桝の間に位置する雨水桝、又は／及び、他端の雨水桝において、貯溜管路の略管頂に開口部が形成されており、
上記開口部の周縁から、少なくともその基端部が上向きに立ち上がる延設口が設けられており、
上記雨水桝の底面に挿通孔が形成されており、該挿通孔に上記延設口が隙間なく挿通されていることを特徴とする雨水貯溜管路構造。
【請求項２】
上記貯溜管路の一端に、上方に向けられる第一の口と、貯溜管路の一端が接続される第二の口と、を少なくとも備える堰き止め部材が設けられており、該第一の口が、雨水を外部に排出するための排出口となっていることを特徴とする請求項１に記載の雨水貯溜管路構造。
【請求項３】
上記延設口が管接続口となっていることを特徴とする請求項１または請求項２に記載の雨水貯溜管路構造。
【請求項４】
上記管接続口にフィルター部材が取付けられていることを特徴とする請求項３に記載の雨水貯溜管路構造。
【請求項５】
上記貯溜管路の一端の雨水桝と他端の雨水桝の間に埋設される雨水桝において、貯溜管路が、複数の貯溜管路接続口と上記開口部を有する継手を介して接続されていることを特徴とする請求項１ないし請求項４のいずれかに記載の雨水貯溜管路構造。
【請求項６】
雨水桝の底面が、貯溜管路の略上側半分に沿った形状を有していることを特徴とする請求項１ないし請求項５のいずれかに記載の雨水貯溜管路構造。
【請求項７】
請求項１ないし請求項６のいずれかに記載の雨水貯溜管路構造に用いられる雨水桝であって、
底面に、下方から貯溜管路が収まる溝部が形成されていると共に、該溝部に雨水桝内と連通する挿通孔が形成されていることを特徴とする雨水桝。
【発明の詳細な説明】
【技術分野】
【０００１】
本発明は、宅地内などの地中に埋設される複数の雨水桝を繋ぐ貯溜管路の内部に雨水を貯溜し、その貯溜した雨水を植物の水やり等に有効利用できるようにした雨水貯溜管路構造及びその貯溜管路構造に用いる雨水桝に関するものである。
【背景技術】
【０００２】
近年、道路や空き地（駐車場等）の舗装化が急速に進み、未舗装部分の殆どない都市化の進んだ地域が増えてきている。このような地域では、雨水が殆ど地中に浸透することなく、道路の側溝や下水道排水管などを通じて河川へ流れ込むため、短時間で河川の容量を超えて、所謂、都市型洪水を引き起し、社会問題となってきている。その一方で、乾期には雨が殆ど降らず、各地で取水制限が実施されている実態がある。これらの問題は、地球温暖化が要因の一つとも言われる昨今の異常気象に伴い、これから益々深刻化していくものと思われる。
【０００３】
かかる事情に鑑みて、宅地内に埋設された雨水桝とそれらを繋ぐ配管の内部に雨水を一時的に貯溜することにより、都市型洪水の被害を軽減したり、その貯溜した雨水を有効利用する試みがなされている。その一つとして、雨水が流入する流入管が接続されると共に、流入管の管頂より上方に開口して貯溜された雨水を越流させて排水する越流管を備える雨水桝が設置される雨水利用システムであって、雨水桝には貯溜された雨水を取水するための取水管が接続されると共に、取水管の管頂の位置は流入管の管底よりも低くなるように配置された雨水利用システムに係る発明が提案されている（特許文献１）。
【０００４】
上記特許文献１の雨水利用システムにおいては、流入管より雨水桝内に流入してきた雨水が、越流口部の上端に達するまで流入管及び雨水桝内に貯溜されるようになっており、このように、宅地内に降った雨水を一時的に貯溜することにより、雨水が河川へ一気に流入するのが抑制されて、都市型洪水の被害が軽減されると共に、乾期の水不足の際には、その貯溜した雨水を有効利用することができるようになっている。
【先行技術文献】
【特許文献】
【０００５】
【特許文献１】特開２０１０−０９０６０５号公報
【発明の概要】
【発明が解決しようとする課題】
【０００６】
しかしながら、上記特許文献１の雨水利用システムは、流入管より流入した雨水は、流入管内だけでなく雨水桝内にも貯溜されることから、流入管と雨水桝の接続部分（挿込孔周縁）から雨水が漏れ出してしまうことがあり、せっかくの貯溜した雨水の貯溜量が減少してしまうことがあった。特に、宅地内に埋設される雨水桝と流入管とは、接着剤を用いずに、単に流入管を雨水桝の挿込孔に挿入するだけの簡易な作業で接続されていることから、貯溜した雨水の水圧によって、そこに隙間が生じ易く、その隙間から漏水することが多かった。
【０００７】
本発明は上記の問題に鑑みてなされたもので、その解決しようとする課題は、貯溜管路に貯溜した雨水の漏水を防止することにより、貯溜した雨水を無駄なく有効利用することのできる雨水貯溜管路構造とそれに用いる雨水桝を提供することにある。
【課題を解決するための手段】
【０００８】
上記目的を達成するため、本発明に係る雨水貯溜管路構造は、
地中に埋設される複数の雨水桝を繋ぐ貯溜管路の内部に、雨水を貯溜する雨水貯溜管路構造であって、
貯溜管路の一端の近傍であって、貯溜管路の管頂よりも高い位置に、雨水を外部に排出するための排出口を設け、貯溜管路に流入した雨水は、水位が該排出口に達するまで貯溜管路の内部に貯溜されるようになっており、
上記排出口が設けられた貯溜管路の一端の雨水桝よりも他端側に埋設される雨水桝であって、該一端の雨水桝と他端の雨水桝の間に位置する雨水桝、又は／及び、他端の雨水桝において、貯溜管路の略管頂に開口部が形成されており、
上記開口部の周縁から、少なくともその基端部が上向きに立ち上がる延設口が設けられており、
上記雨水桝の底面に挿通孔が形成されており、該挿通孔に上記延設口が隙間なく挿通されていることを特徴とするものである。
【０００９】
本発明の雨水貯溜管路構造においては、上記貯溜管路の一端に、上方に向けられる第一の口と、貯溜管路の一端が接続される第二の口と、を少なくとも備える堰き止め部材が設けられており、該第一の口が、雨水を外部に排出するための排出口となっていることが好ましい。また、上記延設口が管接続口となっていることがより好ましい。特に、上記管接続口にフィルター部材が取付けられていることが好ましい。更に、上記貯溜管路の一端の雨水桝と他端の雨水桝の間に埋設される雨水桝において、貯溜管路が、複数の貯溜管路接続口と上記開口部を有する継手を介して接続されていることが好ましい。また、雨水桝の底面が、貯溜管路の略上側半分に沿った形状を有していることがより好ましい。
【００１０】
次に、上記のような雨水貯溜管路構造に用いる本発明の雨水桝は、底面に、下方から貯溜管路が収まる溝部が形成されていると共に、該溝部に雨水桝内と連通する挿通孔が形成されていることを特徴とするものである。
【００１１】
また、本発明のもう一つの雨水桝は、第一の接続口と第二の接続口を有し、第一の接続口は桝底面に形成されると共に、第二の接続口は第一の接続口よりも下方の桝側面に形成されており、上記第一の接続口と第二の接続口は、閉じられた貯溜管路により連通していることを特徴とする。
【発明の効果】
【００１２】
本発明の雨水貯溜管路構造は、貯溜管路の一端の近傍に、貯溜管路の管頂よりも高い位置にある排水口を設けることにより、貯溜管路に流入した雨水は、その水位が排水口に達するまでは、貯溜管路の内部に貯溜されるようになっている。そして、雨水がオーバーフローする開口部は、貯溜管路の略管頂に形成されていることから、貯溜管路の略管頂に達するまで雨水は貯溜されることになり、貯溜管路の略全てを貯溜スペースとして利用することができる。
【００１３】
特に、上記貯溜管路の一端に、上方に向けられる第一の口と、貯溜管路の一端が接続される第二の口と、を少なくとも備える堰き止め部材が設けられており、該第一の口が、雨水を外部に排出するための排出口となっている雨水貯溜管路構造は、貯溜管路に流入した雨水が堰き止め部材によって堰き止められて、貯溜管路の内部に貯溜されるようになるため、従来のように、雨水桝と貯溜管路の接続部分（挿込孔周縁）から貯溜管路の内部の雨水が漏れ出すことがなく、自然蒸発などを除いては、貯溜した雨水が減少してしまうことが皆無に等しくなる。
【００１４】
また、上記開口部の周縁から、少なくともその基端部が上向きに立ち上がる延設口が設けられている雨水貯溜管路構造は、その延設口を種々の用途に利用することができるようになる。即ち、上記延設口が管接続口となっていると、その管接続口に、水位を調節するための高さ調整用筒や、後述する雨水を濾過するフィルター部材などを接続することができるようになる。
【００１５】
そして、上記管接続口にフィルター部材が取付けられていると、流入した雨水に異物が混入していたとしても、その異物はフィルター部材によって取り除かれて、きれいな雨水のみが貯溜管路内に貯溜されるようになる。
【００１６】
また、上記貯溜管路の一端の雨水桝と他端の雨水桝の間に埋設される雨水桝において、貯溜管路が、複数の貯溜管路接続口と上記開口部を有する継手を介して接続されている雨水貯溜管路構造は、継手を用いることにより、貯溜管路の配管の自由度が飛躍的に向上する。しかも、この継手は、開口部をもともと有することから、貯溜管路自体に開口部を形成するという手間も省くことができる。貯溜管路とこの継手とは、接着剤を用いて接続されるため、接続部分から漏水してしまう心配はない。
【００１７】
更に、雨水桝の底面に挿通孔が形成されており、該挿通孔に管接続口が隙間なく挿通されている雨水貯溜管路構造は、地面を掘削することにより形成した配管溝に貯溜管路を配設し、継手に接続してから、雨水桝を設置することができるようになるため、雨水貯溜管路構造の施工性に優れる。
【００１８】
特に、雨水桝の底面が、貯溜管路の略上側半分に沿った形状を有している雨水貯溜管路構造は、貯溜管路の上に雨水桝を載置すると、雨水桝の底面が貯溜管路の略上側半分に嵌合するため、雨水桝が安定して設置され、施工がより容易となる。
【００１９】
以上のような構成の本発明の雨水貯溜管路構造には、底面に、下方から貯溜管路が収まる溝部が形成されていると共に、該溝部に雨水桝内と連通する挿通孔が形成されている雨水桝が好適に用いられ、この雨水桝は、溝部が貯溜管路に嵌合することから、雨水桝を安定的に設置することができるようになる。このような雨水桝は、貯溜管路を地中に配設して継手に接続した後から設置することができるので、施工性に優れ、前述したような効果を奏する雨水貯溜管路構造を容易に構築することができる。
【００２０】
また、本発明のもう一つの雨水桝は、第一の接続口と第二の接続口を有し、第一の接続口は桝底面に形成されると共に、第二の接続口は第一の接続口よりも下方の桝側面に形成されており、上記第一の接続口と第二の接続口は、閉じられた貯溜管路により連通していることを特徴とし、この雨水桝を用いることで、別途継手を用いなくとも、雨水桝内において貯溜管路同士を接続することができるようになる。
【図面の簡単な説明】
【００２１】
【図１】本発明の一実施形態に係る雨水貯溜管路構造を示す概略断面図である。
【図２】同貯溜管路構造の概略斜視図である。
【図３】同貯溜管路構造に用いる継手を示す正面図である。
【図４】同貯溜管路構造に用いる堰き止め部材を示す斜視図である。
【図５】同堰き止め部材により雨水を堰き止めた状態を示す断面図である。
【図６】同堰き止め部材による雨水の堰き止めを解除した状態を示す断面図である。
【図７】同貯溜管路構造に用いる種々の継手を示す概略平面図である。
【図８】本発明の他の実施形態に係る雨水貯溜管路構造を示す概略断面図である。
【図９】本発明の更に他の実施形態に係る雨水貯溜管路構造を示す概略断面図である。
【図１０】本発明の一実施形態に係る雨水桝を示す分解斜視図である。
【図１１】同雨水桝の断面図である。
【図１２】同雨水桝の底面に形成された溝部を説明する説明図である。
【図１３】本発明の他の実施形態に係る雨水桝を示す断面図である。
【図１４】本発明の更に他の実施形態に係る雨水桝を示す平面図である。
【図１５】同雨水桝の正面図である。
【図１６】同雨水桝の左側面図である。
【図１７】同雨水桝の背面図である。
【図１８】同雨水桝の底面図である。
【図１９】同雨水桝に継手を接続した状態を示す断面図である。
【図２０】本発明の更に他の実施形態に係る雨水桝を示す平面図である。
【発明を実施するための形態】
【００２２】
以下、図面を参照して本発明の具体的な実施形態を詳述する。
【００２３】
図１、図２に示す本発明の雨水貯溜管路構造は、宅地内の地中に埋設される複数の雨水桝１を繋ぐ貯溜管路２の内部に雨水を貯溜することにより、植物の水やり等に有効利用できるようにすると共に、併せて、集中豪雨時の河川や下水道施設への負荷を低減するために開発されたものである。
尚、便宜上、図１中には、雨水桝１が３つのみの態様が記載されているが、雨水桝１は、２つでもよく、３つより多い態様であってもよい。
【００２４】
本発明の雨水貯溜管路構造においては、宅地内の家屋の屋根に降った雨水は、軒樋５に集水されて竪樋６を流下し、流入管７より雨水桝１の内部に流入するようになっている。このようにして雨水桝１の内部に流入した雨水は、フィルター部材４によって枯れ葉等のゴミが取り除かれて濾過されたのち、貯溜管路２の内部に流入し、開口部２Ａや堰き止め部材３の第一の口３ａからオーバーフローするまで貯溜されるようになっている。
【００２５】
宅地内に埋設される雨水桝１は、耐久性や施工性に優れるポリプロピレン製又は塩化ビニル樹脂製のものが好適に用いられる。この雨水桝１は、図１等に示すように、上部が開口し下部が閉口したバケツ型をしており、その上部開口は、蓋体１０により覆われている。雨水桝１の周面には、図５、図６に示すように、貯溜管路２を挿込接続するための挿込孔１ａが穿孔されており、挿込孔１ａの周縁には、雨水桝１と貯溜管路２との密着性及び止水性を確保するためのゴムパッキン１ｂが取付けられている。このような雨水桝１において、流入管７から流入してきた雨水は、少量が直接フィルター部材４から貯溜管路２の内部へと流入し、残りの雨水は、一旦雨水桝１の内部に貯溜されることになる。そして、雨水桝１内部の水位がフィルター部材４まで上昇すると、フィルター部材４から貯溜管路２の内部に流入するようになっている。このとき、雨水桝１の内部に流入してくる雨水には、泥砂や枯れ葉等の異物も混入してくるが、フィルター部材４よりも下の空間が泥溜め部として機能するので、フィルター部材４がすぐに目詰まりすることを防止でき、雨水桝１のメンテナンスが容易となる。
【００２６】
また、上記雨水桝１に、流入した雨水が周囲の地中に浸透するような機能を付与してもよく、そのような機能を付与する場合は、図８に示すように、雨水桝１の周面に小孔やスリットなどの開口１ｃを複数穿孔すればよい。そして、開口１ｃが穿孔された雨水桝１の周囲に砕石を敷き詰めて、透水シート（不図示）で周囲の土砂等のエリアと区画することにより、雨水桝１の内部の雨水がスムーズに周囲の地中に浸透するようになる。このような小孔やスリットなどの開口１ｃを穿孔した雨水桝１を埋設すると、貯溜管路２が満水となって貯溜管路２の開口部２Ａより溢れ出した雨水が、周囲の地中にスムーズに浸透していくようになるため、雨水桝１から雨水が溢れ出したりする心配がなくなる。
【００２７】
次に、その内部に雨水を貯溜する貯溜管路２は、他端（上流側）の雨水桝１と一端（下流側）の雨水桝１を繋ぐ宅地内に埋設される円筒管であって、図１に示すように、この貯溜管路２の一端には堰き止め部材３が設けられており、他端にはエルボ継手２１が設けられている。また、堰き止め部材３が設けられた貯溜管路２の一端の雨水桝１よりも他端側に埋設される雨水桝１であって、該一端の雨水桝１（図１中の右側に位置する雨水桝１）と他端の雨水桝１（図１中の左側に位置する雨水桝１）の間に位置する雨水桝１（図１中の真ん中に位置する雨水桝１）、及び、他端の雨水桝１において、貯溜管路２の略管頂には、雨水が流入したりオーバーフローしたり、或いは、取水口ともなる開口部２Ａが形成されている。
ここでいう「管頂」とは、貯溜管路２の中心から上方に向いて半径の４０％の高さ以上の位置に開口部２Ａが形成されていることが好ましく、貯溜管路２の少なくとも９０％の高さ位置で開口していればよい。
【００２８】
上記貯溜管路２は、通常の塩化ビニル樹脂製の円筒形のパイプであって、本実施形態のように、宅地内の配管設備が、公共の屋外排水管９に連通している場合は、他端（上流側）から一端（下流側）にかけて、貯溜管路２に１／１００〜３／１００程度の流れ勾配が付けられていることが多く、貯溜管路２に流入した雨水は、その流れ勾配に沿って下流側へと流れ、堰き止め部材３により堰き止められることにより、貯溜管路２の内部に貯溜されるようになっている。そして、図５に示すように、貯溜管路２が満水になると雨水は堰き止め部材３の第一の口３ａから越流し、排水管８を経由して屋外排水管９に流出するようになっている。
尚、宅地内に埋設される貯溜管路２には、必ずしも流れ勾配が付けられている必要はなく、本実施形態でいう下流側（一端）とは、屋外排水管９に近い箇所のことを指し、それとは反対側のことを上流側（他端）というが、流れ勾配が付けられていない場合は、どちらを一端又は他端と捉えてもよく、他端に堰き止め部材３を設けてもよい。
【００２９】
このような貯溜管路２は、一端の雨水桝１と他端の雨水桝１の間に位置する雨水桝１内において、複数の貯溜管路接続口２０ｂと、少なくともその基端部（根元部分）が上向きに立ち上がる管接続口２０ａを有する継手２０を介して、貯溜管路２同士が接続されている。この継手２０は、図３、図７の（ａ）に示すように、２つの貯溜管路接続口２０ｂ，２０ｂが、継手２０の下部より一直線状に突設された略Ｔ字型の継手２０、所謂チーズ継手である。そして、この管接続口２０ａ内周面の基端部分であって、貯溜管路２の管頂と略同じ高さの開口部分（図３の仮想線が示す部分）が、雨水の流入口やオーバーフロー口、或いは、取水口ともなる貯溜管路２の開口部２Ａとなっている。
【００３０】
また、他端の雨水桝１においては、エルボ継手２１の一部分が、雨水の流入口やオーバーフロー口、或いは、取水口となる貯溜管路２の開口部２Ａとなっている。即ち、貯溜管路２の他端（上流側）に設けられるエルボ継手２１は、図１に示すように、２つの接続口が略９０°湾曲した円筒管で繋がれた通常の９０°エルボ継手であって、一方の接続口には貯溜管路２の端部が接続され、他方の接続口にはフィルター部材４が取付けられている。このようなエルボ継手２１において、湾曲した円筒管の貯溜管路２の管頂と略同じ高さの箇所が開口部２Ａとなっており、他方の接続口は、この開口部２Ａから上向きに立ち上がっている。
【００３１】
上記開口部２Ａは、前述したように、雨水の流入口やオーバーフロー口となると共に、雨水の取水口ともなるものであるが、貯溜管路２の略管頂と同じ高さに形成されていることから、貯溜管路２が満水になるまでは開口部２Ａよりオーバーフローすることがない。従って、貯溜管路２の略全部が貯溜スペースとなって、植物の水やり等に利用するのに必要十分な雨水量を貯溜管路２の内部に貯溜することができる。
尚、開口部２Ａは、一続きの貯溜管路２の略管頂に円孔を穿孔することにより形成してもよいが、本実施形態のように、継手２０やエルボ継手２１の一部分を開口部２Ａとすることで、開口部２Ａを形成する手間が省けると共に、様々な方向から貯溜管路２が配設されている場合にも対応することができるので、配管の自由度が向上する。
【００３２】
また、本実施形態では、一端と他端の間に埋設された雨水桝１内において、貯溜管路２と貯溜管路２を接続するため、上記のように、所謂チーズ継手２０が用いられているが、貯溜管路２を接続する継手２０はこの形状に限定されるものではなく、図７の（ｂ）に示すように、一直線状の貯溜管路接続口２０ｂ，２０ｂに直交する貯溜管路接続口２０ｂをもう一つ形成することにより、３方向から貯溜管路２を接続できるようにした継手２０を用いてもよい。また、図７の（ｃ）に示すように、９０°間隔で貯溜管路接続口２０ｂを４つ形成することにより、４方向から貯溜管路２を接続できるようにした継手２０であってもよく、図７の（ｄ）に示すように、２つの貯溜管路接続口２０ｂ，２０ｂが一直線状ではなく角度が付けられた継手２０であれば、貯溜管路２が一直線に配設されていないような場合でも接続することができる。更に、図７の（ｅ）に示すように、貯溜管路接続口２０ｂが、継手２０の下部より１２０°間隔で３つ突設された継手２０も好適に用いられる。このように種々の形態の継手２０を用いることで、貯溜管路２を配管する自由度が飛躍的に向上する。
【００３３】
上記の図７の（ａ）〜（ｅ）に示す継手２０は、その全部が上向きに立ち上がる管接続口２０ａを有するものであるが、継手２０は、管接続口２０ａの少なくとも基端部が上向きに立ち上がってさえすればよいものであり、図示はしないが、基端部より一旦立ち上がって、その後、下方に向けられたり、或いは、貯溜管路２と平行になる管接続口２０ａを有する継手２０であってもよい。
【００３４】
上記継手２０の管接続口２０ａ及びエルボ継手２１には、図１に示すように、枯れ葉等の異物の混入を阻止するフィルター部材４が取付けられている。このフィルター部材４を取付けることにより、流入管７より雨水桝１内に流入してきた枯れ葉等の異物は取り除かれて、きれいな雨水のみが貯溜管路２の内部に流入して貯溜されるようになっている。本実施形態のフィルター部材４は、肉厚の円筒体であって、円筒体の周面にスリットなどの小開口が穿孔されたものを用いているが、異物を取り除けて、且つ、通水性を有するものであればフィルター部材４はこれに限定されるものではなく、例えば、管接続口２０ａの開口部分にネットを取り付けて、そのネットをフィルター部材４とすることもできる。また、本実施形態のフィルター部材４は、管接続口２０ａの内側に挿入するタイプのものであるが、管接続口２０ａに外挿する態様のフィルター部材４であってもよい。
【００３５】
尚、貯溜管路２に勾配が付けられている場合は、継手２０の管接続口２０ａやエルボ継手２１に高さ調整用筒（単なる円筒体でよい。）を接続して高さを調整すると、貯溜管路２の略全てを、貯溜スペースして利用することができる。即ち、低い箇所に位置する継手２０の高さ（フィルター部材４を接続する場合は、フィルター部材４の開口の下端位置）を、最も高い箇所に位置する継手２０又はエルボ継手２１の上端の高さに合わせることにより、貯溜管路２が満水になるまで雨水が開口部２Ａよりオーバーフローすることがなくなるため、貯溜管路２の略全部を貯溜スペースとして利用することができる。この高さ調整用筒を任意の高さに調整することにより、貯溜管路２に貯留する雨水の貯溜量をコントロールすることもできる。
【００３６】
一方、貯溜管路２の一端（下流側）に設けられる堰き止め部材３は、図４に示すように、上方に向けられる第一の口３ａと、雨水桝１の挿込孔１ａに接続される第二の口３ｂと、下方に向けられる第三の口３ｃとからなる筒状体であって、図５に示すように、下方に向けられる第三の口３ｃは閉口されている。第一の口３ａは、貯溜管路２の管頂よりも高い位置にあり、この第一の口３ａが、雨水を外部に排出するための排出口となっていて、貯溜管路２が満水になると、雨水はこの第一の口３ａを越流して、外部（排水管８）に排出されるようになっている。また、第三の口３ｃは、オリフィスのような小径孔ではなく、貯溜した雨水を速やかに外部に排出することができる程度の直径を有する円孔で、図６に示すように、メンテナンス時は、この第三の口３ｃより雨水を排出して配管内部のメンテナンスを行う。通常は、この第三の口３ｃに、脱着可能な閉塞部材３ｄが取付けられて、第三の口３ｃは完全に閉塞されている。
【００３７】
上記第三の口３ｃに取付けられる閉塞部材３ｄは、水回りの止水栓として好適に使用されるゴム栓であって、図５、図６等に示すように、この閉塞部材３ｄには、上方から閉塞部材３ｄの脱着を可能とするガイド部材３ｅが備えられている。このガイド部材３ｅは、止水栓に好適に備えられるボールチェーンであって、その上端は、第一の口３ａの外周面に設けられた突起３ｆに取付けられている。第三の口３ｃは、第一の口３ａに対向する位置、即ち、第一の口３ａの開口から見える位置に形成されており、且つ、閉塞部材３ｄにはガイド部材３ｅが備えられているので、閉塞部材３ｄを取付けたり取外したりする脱着作業を、上方から容易に行うことができ、堰き止め部材３の底面まで手を突っ込む必要がないため、メンテナンス性に優れる。
尚、閉塞部材３ｄは、本実施形態のようにゴム栓に限定されるものではなく、上方から開閉可能な蓋部材などでもよいが、貯溜された雨水によって生じる浮力によって浮き上がらない程度の比重を有するものが好ましく、必要に応じて第三の口３ｃと閉塞部材３ｄとの間に嵌合構造や係止構造などを設け、浮力のみで閉塞部材３ｄが第三の口３ｃから外れないようにすることが好ましい。また、ガイド部材３ｅも、上方から閉塞部材３ｄの脱着を可能とするのであればボールチェーンに限定されるものはなく、線材の折り曲げ加工品等でもよい。更に、本実施形態のガイド部材３ｅの上端は、第一の口３ａ近傍に取付けられているが、上方からの脱着が可能な位置、例えば、雨水桝１の蓋受部近傍や蓋体１０等に取付けてもよく、このように、ガイド部材３ｅの上端を、雨水桝１の蓋受部近傍や蓋体１０等に取付けると、雨水桝１が深く埋設されている場合であっても、地表に近いところで閉塞部材３ｄの脱着作業が可能となり、閉塞部材３ｄに手が届かなくて特別な工具が必要になるといったこともなく、メンテナンス性が良い。
【００３８】
また、上記のような形態の堰き止め部３の代わりに、前述したエルボ継手２１を堰き止め部材３として用いることもできる。この場合、貯溜した雨水を排水する際は、エルボ継手２１を貯溜管路２を軸に１８０°回転させることにより排水することができる。
【００３９】
上記の貯溜管路２と継手２０、貯溜管路２とエルボ継手２１、及び、貯溜管路２と堰き止め部３は、全て接着剤を用いて接続されている。従って、単に貯溜管路２を挿込孔１ａに挿込接続する場合と比較すると、それぞれの部材同士が隙間なく強固に接続されることから、漏水することがなく、せっかく貯溜管路２の内部に貯溜した雨水が減少してしまうことがない。そして、このように貯溜した雨水は、開口部２Ａや堰き止め部３の第一の口３ａに取水ポンプ（不図示）を設けることにより取水され、植物の水やり等に有効利用することができる。
【００４０】
図８は本発明の他の実施形態に係る雨水貯溜管路構造を示す概略断面図である。
【００４１】
前述した図１〜図７に示す実施形態の雨水貯溜管路構造は、貯溜管路２の一端（下流側）に堰き止め部材３を設けることにより、雨水を貯溜管路２の内部に貯溜していたのに対して、本実施形態の雨水貯溜管路構造は、その堰き止め部材３の代わりに、屋外排水管９に連通する排水管８の下端位置を、貯溜管路２の管頂よりも高い位置に配設することにより、雨水を貯溜管路２の内部に貯溜するようにしたものである。本実施形態では、排水管８が、雨水を外部に排出するための排出口となっており、貯溜管路２の内部に流入した雨水は、その水位が排水管８の下端に達するまでは、雨水桝１の内部にも貯溜されることになっている。
【００４２】
また、本実施形態の雨水貯溜管路構造では、図８に示すように、多数の浸透孔１０ａが穿孔された蓋体１０が用いられている。従って、家屋の屋根に降った雨水が軒樋５に集水されて、竪樋６を流下して流入管７より雨水桝１の内部に流入すると共に、宅地内に降った雨水も、雨水桝１の上部開口を覆う蓋体１０の浸透孔１０ａより雨水桝１の内部に流入するようになっている。
尚、泥砂が多い場所や蚊等の虫の発生が多い場所に雨水桝１を埋設する場合は、浸透孔１０ａを穿孔していない蓋体１０を用いればよく、そのような場所に設置する際でも、浸透孔１０ａにネット等を被せると、泥砂の侵入や蚊等の虫の発生を抑えることができ、また、蓋体１０のフィルター部材４の上方の位置以外（浸透孔１０ａからの流入水がフィルター部材４に流下しない位置）のみに浸透孔１０ａを穿孔するようにすれば、フィルター部材４の目詰まりや貯溜管路への流入を防止することができる。
【００４３】
以上のような構成の雨水貯溜管路構造は、貯溜管路２と雨水桝１の接続部分（挿込孔１ａ周縁）より多少の漏水の恐れはあるが、堰き止め部材３を設ける手間が省け、その挿込孔１ａ周縁の一箇所のみを確実に止水処理することにより、漏水の危険性を最小限に抑えることができる。また、その漏水の恐れがある箇所の雨水桝１を、後述する図１０〜図２０に示す雨水桝１に変更すると、漏水する恐れは皆無に等しくなる。
【００４４】
図９は本発明の更に他の実施形態に係る雨水貯溜管路構造を示す概略断面図である。
【００４５】
前述した図１〜図８に示す実施形態の雨水貯溜管路構造は、宅地内に埋設された配管設備が公共の下水道施設などに繋がる屋外排水管９と連通していたのに対して、本実施形態に係る雨水貯溜管路構造は、宅地内の配管設備が屋外排水管９などに一切連通しておらず、宅地内のみにおいて完結する場合の態様である。従って、本実施形態の貯溜管路２には、流れ勾配が一切付けられていない。そのため、ここでは便宜上、どちらか一方を一端（本実施形態では右側）といい、もう一方を他端（本実施形態では左側）という。また、一端の雨水桝１と他端の雨水桝１の間に位置する雨水桝１内において、前述した実施形態とは異なり、貯溜管路２は、略Ｔ字型のチーズ継手２０ではなく、１つの貯溜管路接続口２０ｂと管接続口２０ａを有する、上記のエルボ継手２１に接続されている。そして、このエルボ継手２１の湾曲した円筒管の内周面であって、貯溜管路２の管頂と略同じ高さの部分が、雨水の流入口やオーバーフロー口、或いは、取水口となる開口部２Ａとなっている。このように、本発明は、一端の雨水桝１と他端の雨水桝１を繋ぐ貯溜管路２が、完全に連通していなくとも、成立し得るものである。
尚、一端の雨水桝１と他端の雨水桝１の間に位置する雨水桝１内において、貯溜管路２は、前述した略Ｔ字型のチーズ継手２０に接続してもよいことはいうまでもなく、取水するところ（取水ポンプを設けたところ）に向って流れ勾配を付けてもよい。
【００４６】
このような雨水貯溜管路構造は、屋外排水管９に連通していないことから、雨水桝１に、雨水が周囲の地中に浸透（排出）する機能を付与する必要がある。従って、本実施形態では、周面に開口１ｃが複数穿孔された雨水桝１が用いられている。このとき、真ん中に位置する雨水桝１の開口１ｃは、右側に位置する雨水桝１の開口１ｃよりも小さくなっている（オリフィス程度の大きさでもよい）。これは、真ん中に位置する雨水桝１に流入管７が接続されていなくとも、左側に位置する貯溜管路２（真ん中に位置する雨水桝１に対しての左側の貯溜管路２）からのオーバーフロー水が、真ん中に位置する雨水桝１を介して、右側に位置する貯留管路２に貯溜され易くするためである。また、雨水桝１の水位がフィルター部材４に達してから貯溜管路２に流入することから、流入管７が接続される雨水桝１は、開口１ｃが穿孔されていない通常の雨水桝１を用いれば、少量の降雨でも貯溜管路２に貯溜することができる。
尚、図９中では、便宜上、真ん中に位置する雨水桝１及び右側に位置する雨水桝１に浸透機能を付与しているが、真ん中に位置する雨水桝１に流入管７が接続されていてもよく、その場合は、真ん中に開口１ｃが穿孔されていない通常の雨水桝１を用いて、左側に位置する雨水桝１に、開口１ｃが穿孔された雨水桝１を埋設すればよい。そのようにすると、浸透能力が足りなくなる恐れもあるが、右側の雨水桝１の容量を大きくしたり、雨水桝１の周囲の砕石によって形成する浸透空間を大きくしたりするなどして、浸透能力不足を補ったり、一時貯溜できる量を増やして、雨水が溢れることを防止することができる。
【００４７】
このように本発明の雨水貯溜管路構造は、宅地内の配管設備が公共の下水道施設などに繋がる屋外排水管９に連通しておらず、宅地内のみで完結するような場合でも、雨水桝１に浸透機能を付与することにより、植物の水やり等に有効利用する雨水を貯溜管路２の内部に貯溜することができる。
【００４８】
図１０は本発明の一実施形態に係る雨水桝を示す分解斜視図、図１１は同雨水桝の断面図、図１２は同雨水桝の底面に形成された溝部を説明する説明図である。
【００４９】
上記のような本発明の雨水貯溜管路構造は、図１０〜図１２に示す雨水桝１を用いて構築してもよい。即ち、この雨水桝１は、ポリプロピレン又は塩化ビニル樹脂で成形された合成樹脂製の雨水桝１であって、その底面に、下方から貯溜管路２が収まる溝部１ｄが形成されたものである。
【００５０】
この溝部１ｄは、貯溜管路２が収まるように、雨水桝１の底面を略半円形状に切欠かれたものであって、この溝部１ｄを上方から貯溜管路２に被せて嵌合させることにより、雨水桝１は貯溜管路２の上に安定して設置され、特に、雨水桝１の下端を貯溜管路２（継手２０）と同じ高さに形成することにより、雨水桝１をより安定的に設置することができる。本実施形態の雨水桝１は、図１２の（ａ）に示すように、底面から見て十字型に２条の溝部１ｄ，１ｄが形成されており、貯溜管路２が四方から配設されている場合、即ち、前述した図７（ａ）、（ｂ）、（ｃ）等の継手２０と嵌合接続することが可能となっている。
【００５１】
一方、図１２の（ｂ）に示すように、１条の溝部１ｄが雨水桝１の底面を突っ切るように形成された雨水桝１は、雨水桝１の下方に継手２０（チーズ継手）を配置する際、好適に用いられる。また、図１２の（ｃ）に示すように、１条の溝部１ｄが雨水桝１の底面の途中までで終了する雨水桝１は、エルボ継手２１を用いる場合に好適に用いられ、この図１２の（ｃ）に示す雨水桝１は、泥溜め部の体積が大きいことからメンテナンス性が最もよい。
【００５２】
上記溝部１ｄの中心（雨水桝１の中心部分）には、雨水桝１内と連通する挿通孔１ｅが形成されている。この挿通孔１ｅの内周面には、継手２０の管接続口２０ａが隙間なく挿通されるようになっており、これによって貯溜管路２と雨水桝１が連通するようになっている。この挿通孔１ｅに縁を設けてもよく、その場合は、縁の高さと管接続口２０ａの高さの関係について、管接続口２０ａが受け口の場合は、縁が高くても低くてもよいが、段差ができるとゴミがたまり易いので、略同じ高さにすることが好ましい。また、管接続口２０ａの高さより高くする場合は、その高さ分だけ貯溜量が増える（オーバーフローの高さが高くなる）ので、例えば、フィルター部材４の開口下端よりも低い位置にするなど、貯溜量との兼ね合いで調整すればよい。一方、管接続口２０ａが差し口の場合は、管接続口２０ａが突出していないと接続できないため、縁を管接続口２０ａよりも低くする必要がある。
【００５３】
このような雨水桝１は、溝部１ｄを形成することにより生じる、雨水桝１内部の凹み部分が、泥砂や枯れ葉等が堆積する泥溜め部となっている。この泥溜め部をそのまま泥溜めとして利用してもよいが、本実施形態では、この泥溜め部に、泥溜め部に沿った外面形状を有する清掃用バケツ体１ｆが上方より嵌め込まれている。従って、雨水桝１をメンテナンスする際は、清掃用バケツ体１ｆを上方から取り出すだけで、内部に溜まった泥砂や枯れ葉等を容易に取り除くことができるので、メンテナンス性が非常に良好なものとなって、また、泥溜め部の先端部分（底面の裏面）が、雨水桝１の脚部としての機能を果たすため、設置した際の安定性が向上する。
【００５４】
次に、上記のような部材を用いて本発明の雨水貯溜管路構造を構築する施工方法を説明する。
【００５５】
まず、上記構成の配管設備を配設する地面を掘削し、掘削したことにより形成された配管溝（不図示）に貯溜管路２を配設する。そして、上記貯溜管路２と継手２０を接着剤を用いて接着接続していく。次に、上記雨水桝１にシール材２０ｃを充填し、ゴムパッキン２０ｄを取付けて、雨水桝１を継手２０に被せるように配設する。このとき、貯溜管路２に流れ勾配を付ける場合は、雨水桝１の上端が地面と水平になるように固定する。雨水桝１の貯溜管路２に当接する溝部１ｄに貯溜管路２の流れ勾配に対応した傾斜が形成された雨水桝１を使用してもよい。
尚、上記シール材２０ｃ及びゴムパッキン２０ｄは、本実施形態のように、両方を取付けてもよいし、どちらか一方のみを取付けるだけでもよい。
【００５６】
上記のように、雨水桝１を配設すると、次に、接着剤を用いて貯溜管路２の一端に堰き止め部材３を接続すると共に、他端にエルボ継手２１を接続して、継手２０及びエルボ継手２１にフィルター部材４を取付ける。このように、貯溜管路２と継手２０、貯溜管路２とエルボ継手２１、及び、貯溜管路２と堰き止め部材３は、全て接着剤を用いて接続することにより、単に貯溜管路２を挿込孔１ａに挿込接続する場合と比較すると、それぞれの部材同士が隙間なく強固に接続されることから、漏水することがなく、せっかく貯溜管路２の内部に貯溜した雨水が減少してしまうことがない。
【００５７】
最後に、雨水桝１の内部に埋め戻しの土砂が侵入しないように養生蓋などの仮蓋（不図示）で養生した後、地面を埋め戻す。雨水桝１が開口１ｃを穿孔した浸透桝である場合は、ある程度土砂で埋め戻して、砕石を充填するエリアを透水シートで区画してから砕石を充填するようにする。そして、雨水桝１の仮蓋を取外して蓋体１０により雨水桝１の上部開口を覆うことにより、雨水貯溜管路構造が完成する。この雨水貯溜管路構造に貯溜された雨水は、開口部２Ａや堰き止め部材３の第一の口３ａに取水ポンプ（不図示）を設けることにより取水され、植物の水やり等に有効利用することができる。この取水ポンプは常設してもよいし、使用時だけ雨水桝１の蓋体１０を取外して取水してもよい。
【００５８】
以上のような構成の雨水桝１は、溝部１ｄを上方から貯溜管路２に被せて嵌合させることにより、雨水桝１を安定的に設置することができ、それに加えて、貯溜管路２を宅地内に配設した後から、雨水桝１を設置していくことができるので、施工性にも優れる。
【００５９】
図１３は本発明の他の実施形態に係る雨水桝を示す断面図である。
【００６０】
この実施形態の雨水桝１は、図１３に示すように、少なくとも第一の接続口１ｉと第二の接続口１ｊを有するものであって、第一の接続口１ｉは桝底面に形成されると共に、第二の接続口１ｊは第一の接続口１ｉよりも下方の桝側面に形成されており、上記第一の接続口１ｉと第二の接続口１ｊは、閉じられた貯溜管路２により連通している。
【００６１】
上記第二の接続口１ｊには、左右両側から貯溜管路２，２が接続されており、これにより密閉されて、貯溜管路２と連通している。また、第一の接続口１ｉには、フィルター部材４が接続されており、このような雨水桝１を用いて貯溜管路構造を構築すると、継手２０やエルボ継手２１を用いる必要がなくなることから、挿込孔１ａと管接続口２０ａとの隙間がなくなって、そこからの漏水の恐れが皆無に等しくなり、雨水桝１の内部において、貯溜管路２を継手２０又はエルボ継手２１に接続するといった作業が不要となるメリットがある。
【００６２】
図１４〜図１９は本発明の更に他の実施形態に係る雨水桝を示すものであり、図２０は本発明の更にもう一つの実施形態に係る雨水桝を示す正面図である。
【００６３】
図１４〜図１９に示す実施形態の雨水桝１は、雨水桝１の内部と連通する挿通孔１ｅが後側に偏位して形成されていると共に、下方から貯溜管路２が収まる溝部１ｄが、雨水桝１の底面に３方向（前方向、右方向、左方向）に向って形成されたものである。この雨水桝１は、上記のように、挿通孔１ｅが後側に偏位して形成されていることから、該挿通孔１ｅに連通する左右の溝部１ｄ，１ｄも同様に、後側に偏位して形成されている。
【００６４】
上記雨水桝１の挿通孔１ｅの上端部は、図１９に示すように、内側下方向に向う縁が突設されており、その縁により形成された凹部に、継手２０の管接続口２０ａを挿入するようになっている。この継手２０の管接続口２０ａを挿入する際は、止水性及び密着性を向上させるため、シール材２０ｃが充填されていると共に、ゴムパッキン２０ｄが取付けられている。また、図１９の仮想線に示すように、雨水桝１の挿通孔１ｅには、フィルター部材４が取付けられている。本実施形態の雨水桝１に取付けられるフィルター部材４は、ネット状のパイプであって、このフィルター部材４の下端を、継手２０の底面に当接するまで挿入することにより、フィルター部材４は立設されている。そして、このフィルター部材４の上端は、雨水桝１の蓋体１０に当接乃至その僅か下まで達しており、このように、フィルター部材４を、雨水桝１の蓋体１０と継手２０の底面により挟み込むように取付けることにより、フィルター部材４は安定的に取付けられるようになると共に、直接異物が侵入する隙間がなくなるため、枯れ葉等の異物が貯溜管路２に流入することがなくなる。
この実施形態の雨水桝１のその他の構成は、前述した図１０〜図１３に示す実施形態の雨水桝１と同様であるので、同一部材に同一符号を附して、説明を省略する。
【００６５】
上記のように、挿通孔１ｅ及び左右の溝部１ｄ，１ｄが後側に偏位して形成された雨水桝１は、それに伴い、泥溜め部も一方に偏位して形成されることになるので、メンテナンス性に優れる。
【００６６】
また、図２０に示す雨水桝１は、雨水桝１の内部と連通する挿通孔１ｅが左後側に偏位して形成されていると共に、下方から貯溜管路２が収まる溝部１ｄが、雨水桝１の底面に２方向（前方向、右方向）に向って形成されたものである。この前方向に向う溝部１ｄは、雨水桝１の左側に偏位して形成されており、右方向に向う溝部１ｄは、雨水桝１の後側に偏位して形成されている。そして、２条の溝部１ｄ，１ｄによって挟まれた空間が、泥溜め部となっている。
この実施形態の雨水桝１のその他の構成は、前述した図１４〜図１９に示す実施形態の雨水桝１と同様であるので、同一部材に同一符号を附して、説明を省略する。
【００６７】
上記のような、挿通孔１ｅが左後側に偏位して形成された雨水桝１は、泥溜め部が一方に偏位して形成されると共に、泥溜め部の最も深い部分が一箇所に集中して面積を大きくとることができるので、メンテナンス性が非常に良好となる。
【００６８】
以上、本発明の雨水貯溜管路構造及び雨水桝の代表的な実施形態を詳述してきたが、本発明はこれに限定されるものではなく、種々の設計変更を許容し得るものである。例えば、雨水桝１が上半分と下半分の２部材から構成されるものであり、この上半分が下半分に対して回動自在な雨水桝１を用いてもよい。このような雨水桝１を用いて雨水貯溜管路構造を構築すると、上半分に挿込孔１ａを予め穿孔していても、雨水桝１の上半分を回動させることにより、様々な角度の貯溜管路２を接続することができるようになる。
【符号の説明】
【００６９】
１    雨水桝
１ａ  挿込孔
１ｂ  ゴムパッキン
１ｃ  開口
１ｄ  溝部
１ｅ  挿通孔
１ｆ  清掃用バケツ体
１ｇ  アーチ部
１ｈ  嵌合孔
１ｉ  第一の接続口
１ｊ  第二の接続口
１０  蓋体
１０ａ  浸透孔
２    貯溜管路
２Ａ  開口部
２０  継手
２０ａ  管接続口
２０ｂ  貯溜管路接続口
２０ｃ  シール材
２０ｄ  ゴムパッキン
２１  エルボ継手
３    堰き止め部材
３ａ  第一の口（排出口）
３ｂ  第二の口
３ｃ  第三の口
３ｄ  閉塞部材
３ｅ  ガイド部材
３ｆ  突起
４    フィルター部材
５    軒樋
６    竪樋
７    流入管
８    排水管
９    屋外排水管
【図１】
0006391008.tif 000002
【図２】
0006391008.tif 000003
【図３】
0006391008.tif 000004
【図４】
0006391008.tif 000005
【図５】
0006391008.tif 000006
【図６】
0006391008.tif 000007
【図７】
0006391008.tif 000008
【図８】
0006391008.tif 000009
【図９】
0006391008.tif 000010
【図１０】
0006391008.tif 000011
【図１１】
0006391008.tif 000012
【図１２】
0006391008.tif 000013
【図１３】
0006391008.tif 000014
【図１４】
0006391008.tif 000015
【図１５】
0006391008.tif 000016
【図１６】
0006391008.tif 000017
【図１７】
0006391008.tif 000018
【図１８】
0006391008.tif 000019
【図１９】
0006391008.tif 000020
【図２０】
0006391008.tif 000021